(57)【要約】【課題】乳幼児等の通過を抑制したり、通気性を確保したりするために開口部の一部の閉鎖が可能でありながらも見栄えを向上し得る引戸装置及び開口部の開閉構造を提供する。【解決手段】引戸装置１は、開口部５に設置され、該開口部を開閉する引戸本体１０の下側部分に戸先側に向けて開口する中空部１６を設け、該中空部に戸幅方向に出し入れ自在とされたガード体２０を設け、前記引戸本体を開放位置として開放させた前記開口部の下側部分７を、前記ガード体によって開閉可能とした。【選択図】図１
2013023931.tif 000002
【特許請求の範囲】
【請求項１】
開口部に設置され、該開口部を開閉する引戸本体の下側部分に戸先側に向けて開口する中空部を設け、該中空部に戸幅方向に出し入れ自在とされたガード体を設け、前記引戸本体を開放位置として開放させた前記開口部の下側部分を、前記ガード体によって開閉可能としたことを特徴とする引戸装置。
【請求項２】
請求項１に記載の引戸装置において、
前記ガード体は、格子状とされていることを特徴とする引戸装置。
【請求項３】
請求項１または２に記載の引戸装置において、
前記引戸本体を前記開放位置とし、かつ、前記ガード体を閉鎖位置とした状態において、該ガード体の戸先側端面が、前記開口部の戸先側内側面に当接するように該ガード体が設けられていることを特徴とする引戸装置。
【請求項４】
請求項１乃至３のいずれか１項に記載の引戸装置において、
前記引戸本体の開放位置及び前記ガード体の閉鎖位置を保持するロック機構を更に備えていることを特徴とする引戸装置。
【請求項５】
開口部を開閉する引戸本体を該開口部に設置し、該引戸本体の下側部分に戸先側に向けて開口する中空部を設け、該中空部に戸幅方向に出し入れ自在とされたガード体を設け、前記引戸本体を開放位置として開放させた前記開口部の下側部分を前記ガード体によって開閉する構造とされていることを特徴とする開口部の開閉構造。
【発明の詳細な説明】
【技術分野】
【０００１】
本発明は、引戸装置及び開口部の開閉構造に関する。
【背景技術】
【０００２】
従来より、乳幼児やペット等の通過を抑制するために、住居内に設置されるガードフェンス（ベビーゲート）が知られている。このようなフェンス乃至はゲートは、後付的に金具や止具、突っ張り具等によって対向する壁面間に取り付けられるものであるため、不要となり取り外した際に、壁面に取付跡等が残り易いという問題があった。また、後付的に取り付けられるため、ぐらつきが生じたり、外れたりし易いという問題もあった。
例えば、下記特許文献１では、開き戸を上扉部分と下扉部分とに上下に分割し、上扉部分を開き位置、下扉部分を閉じ位置とすることで、幼児の通過を阻止する構造とした上下分割ドアが提案されている。
【先行技術文献】
【特許文献】
【０００３】
【特許文献１】特開２００５−３１４９５２号公報
【発明の概要】
【発明が解決しようとする課題】
【０００４】
しかしながら、上記特許文献１に記載された上下分割ドアは、扉自体を上下に分割した構造とされているため、扉全体としての見栄えが悪くなるという問題があった。
【０００５】
本発明は、上記実情に鑑みてなされたものであり、乳幼児等の通過を抑制したり、通気性を確保したりするために開口部の一部の閉鎖が可能でありながらも見栄えを向上し得る引戸装置及び開口部の開閉構造を提供することを目的としている。
【課題を解決するための手段】
【０００６】
上記目的を達成するために、本発明に係る引戸装置は、開口部に設置され、該開口部を開閉する引戸本体の下側部分に戸先側に向けて開口する中空部を設け、該中空部に戸幅方向に出し入れ自在とされたガード体を設け、前記引戸本体を開放位置として開放させた前記開口部の下側部分を、前記ガード体によって開閉可能としたことを特徴とする。
【０００７】
本発明においては、前記ガード体を、格子状としてもよい。
また、本発明においては、前記引戸本体を前記開放位置とし、かつ、前記ガード体を閉鎖位置とした状態において、該ガード体の戸先側端面が、前記開口部の戸先側内側面に当接するように該ガード体を設けるようにしてもよい。
また、本発明においては、前記引戸本体の開放位置及び前記ガード体の閉鎖位置を保持するロック機構を更に備えたものとしてもよい。
【０００８】
また、上記目的を達成するために、本発明に係る開口部の開閉構造は、開口部を開閉する引戸本体を該開口部に設置し、該引戸本体の下側部分に戸先側に向けて開口する中空部を設け、該中空部に戸幅方向に出し入れ自在とされたガード体を設け、前記引戸本体を開放位置として開放させた前記開口部の下側部分を前記ガード体によって開閉する構造とされていることを特徴とする。
【発明の効果】
【０００９】
本発明に係る引戸装置及び開口部の開閉構造は、上述のような構成としたことで、乳幼児等の通過を抑制したり、通気性を確保したりするために開口部の一部の閉鎖が可能でありながらも見栄えを向上させることができる。
【図面の簡単な説明】
【００１０】
【図１】（ａ）、（ｂ）はいずれも本発明の一実施形態に係る引戸装置及び開口部の開閉構造の一例を模式的に示し、（ａ）は、同引戸装置が備える引戸本体を開放位置、ガード体を開放位置（収納位置）とした状態を示す一部破断概略正面図、（ｂ）は、同引戸本体を開放位置、ガード体を閉鎖位置（突出位置）とした状態を示す一部破断概略正面図である。
【図２】（ａ）は、図１（ｂ）におけるＸ１−Ｘ１線矢視に対応させた一部破断概略横断面図、（ｂ）は、図３(ａ)におけるＹ１−Ｙ１線矢視に対応させた一部を省略した一部破断概略縦断面図、（ｃ）、（ｄ）は、いずれも図１（ｂ）におけるＺ部に対応させた概略拡大正面図である。
【図３】（ａ）は、同引戸本体を閉鎖位置、ガード体を収納位置とした状態を示す概略正面図、（ｂ）は、（ａ）におけるＸ２−Ｘ２線矢視に対応させた一部破断概略横断面図である。
【図４】（ａ）〜（ｃ）はいずれも本発明の他の実施形態に係る引戸装置及び開口部の開閉構造の一例を模式的に示し、（ａ）は、同引戸装置が備える引戸本体の概略正面図、（ｂ）は、図１（ｂ）に対応させた概略正面図、（ｃ）は、(ａ)におけるＹ２−Ｙ２線矢視に対応させた一部破断概略縦断面図である。
【発明を実施するための形態】
【００１１】
以下に本発明の実施の形態について、図面に基づいて説明する。
なお、一部の図では、他図に付している詳細な符号の一部を省略している。
また、以下の各実施形態では、図３（ｂ）に示すＷ方向から見た状態を基準として、図３（ｂ）における上側を背面側、下側を手前側として、その方向等を原則的に説明する。
【００１２】
図１〜図３は、第１実施形態に係る引戸装置及びこれを用いた開口部の開閉構造の一例について説明するための概念的な説明図である。
本実施形態に係る引戸装置１は、図１、図２（ａ）及び図３に示すように、開口部５に設置され、この開口部５を開閉する引戸本体１０と、この引戸本体１０の下側部分に出し入れ自在に設けられたガード体２０と、を備えている。
【００１３】
開口部５は、住居等の建物内の通路の一部や出入口として設けられ、本実施形態では、建物内に区画形成された建付開口２に開口枠３及び袖壁４を設け、これらによって区画形成されている。また、図例では、引戸本体１０を、一枚からなる片引き式とし、開口部５を開放した開放位置において袖壁４に納められる袖壁納めとした例を示している。
建付開口２は、柱材や間柱、横桟（まぐさ）、飼木、床下地（乃至は床面）などの枠下地によって正面視して略矩形状に形成され、この建付開口２の内周面に沿うようにして、引戸装置１を建て付ける開口枠３が配設される。なお、開口枠３を建付開口２の上側を区画する天井面や建付開口２の左右側部を区画する壁面等に添設乃至は埋設する態様としてもよい。
【００１４】
開口枠３は、図例では、一対の縦枠３１，３４（戸先側縦枠３１及び戸尻側縦枠３４）と、これら縦枠３１，３４の上端部間に架設された上枠（鴨居）３０と、これら縦枠３１，３４間の略中間部に設けられた中間縦枠（中方立）３６とを備えている。
上枠３０は、その下面側に、引戸本体１０のスライド移動を案内する上吊レールや案内溝を長手方向に沿って有している。また、この上枠３０は、戸先側が、戸先側縦枠３１の見込み方向の寸法に対応させて幅広部とされ、戸尻側が、戸尻側縦枠３４の見込み方向の寸法に対応させて上記幅広部よりも幅の狭い幅狭部とされている。また、この上枠２０の幅広部と幅狭部とを区切る長手方向略中央部には、中方立３６の上端部が係合する切欠部が形成されている。
【００１５】
戸先側縦枠３１は、上枠３０の上記幅広部に応じた幅寸法（見込み方向の寸法）とされ、建付開口２の戸先側の内側面に沿うように上下方向に沿って配設される。
戸尻側縦枠３４は、上枠３０の上記幅狭部に応じた幅寸法（見込み方向の寸法）とされ、建付開口２の戸尻側（袖壁側）の内側面に沿うように上下方向に沿って配設される。
これら戸先側縦枠３１及び戸尻側縦枠３４には、引戸本体１０の戸先側端部乃至は戸尻側端部を受け入れる戸じゃくり溝が上下方向に沿って形成されている。
中方立３６は、建付開口２の略中間位置において上下方向に沿って配設され、その見込み方向に沿う寸法が、袖壁４の壁厚に応じた幅寸法とされている。この中方立２３の見込み方向手前側端面には、引戸本体１０の背面側表面に摺接する隙間遮蔽部材（モヘア部材）が上下方向に沿って添設されている。
【００１６】
上記構成とされた開口枠３は、上枠３０の長手方向の各端面を、各縦枠３１，３４の上端部内側面に突き合わせ、これら縦枠３１，３４の上端部の外側面から木ねじ等の固定止具を螺入して、上枠３０と各縦枠３１，３４とを連結するようにしてもよい。また、上枠３０の上記切欠部に中方立３６の上端部を係合させ、木ねじ等の固定止具を螺入して中方立３６を上枠３０に連結して、開口枠３を組み付けるようにしてもよい。
また、このように組み付けられた開口枠３を、建付開口２の内周面に沿わせるようにして上記した枠下地等に固定するようにしてもよい。また、中方立３６の下端部は、床下地（乃至は床材）などの枠下地に固定するようにしてもよい。
【００１７】
引戸本体１０は、上記構成とされた開口枠３に戸幅方向に沿ってスライド自在に建て付けられ、図１及び図２（ａ）に示すように開口部５を開放した開放位置と、図３に示すように開口部５を閉鎖した閉鎖位置との間をスライド自在とされている。
引戸本体１０の上端部の両側端部には、図２（ｂ）及び図３（ａ）に示すように、ランナー部材１０ａ，１０ａが連結固定されている。上枠３０には、これらランナー部材１０ａ，１０ａの転動部（コロ）を引戸本体１０の戸幅方向に沿って走行自在に支持する走行案内部としての上吊レールが設けられており、この上吊レールにガイドされて引戸本体１０が上吊式で開閉される構成とされている。
また、引戸本体１０の下端部には、図２（ｂ）及び図３に示すように、床８に設置されたガイドピン９を受け入れる凹溝１０ｂが戸幅方向に沿って形成されている。この凹溝１０ｂに、ガイドピン９が挿入され、当該引戸本体１０の下端側がスライド方向にガイドされる。
【００１８】
また、引戸本体１０の下側部分には、図１及び図２（ａ）、（ｂ）に示すように、ガード体２０を出し入れ自在に収納し、戸先側に向けて開口する中空部１６が設けられている。本実施形態では、引戸本体１０を、複数の枠材１１，１２，１３，１４によって扉芯材を形成し、この扉芯材の表裏面（手前側面及び背面側面）に面材１５，１５を貼着したいわゆるフラッシュ構造とし、これにより中空部１６を形成している。
図例では、引戸本体１０の戸幅方向の両側端部に戸先側縦枠材１１及び戸尻側縦枠材１２をそれぞれ設け、これらの間に複数本（図例では二本）の横枠材１３，１３を架設し、また、引戸本体１０の下端部に下横枠材１４を設けた構造としている。
【００１９】
戸先側縦枠材１１は、中空部１６の戸先側開口を形成するように、引戸本体１０の上端部から引戸本体１０の上下方向途中位置に至るまでの上下寸法とされている。一方、戸尻側縦枠材１２は、引戸本体１０の上下方向の全長に亘る上下寸法とされている。これら縦枠材１１，１２の上端部間に一本の横枠材１３を架設し、戸先側縦枠材１１の下端部と戸尻側縦枠材１２の上下方向途中位置との間に一本の横枠材１３を架設している。また、戸尻側縦枠材１２の下端部に連結するように引戸本体１０の下端部に戸幅方向に沿って下横枠材１４を設けている。これら複数の枠材１１，１２，１３，１４からなる扉芯材の表裏面のそれぞれに面材１５，１５を貼着して、引戸本体１０の下側部分に中空部１６を形成している。
中空部１６は、これら戸尻側縦枠材１２、上下方向途中位置に配設された横枠材１３、下横枠材１４及び表裏の面材１５，１５によって区画形成され、戸先側に向けて開口している。
【００２０】
また、本実施形態では、ガード体２０を引戸本体１０の中空部１６から出し入れ自在に支持する上下一対のスライドレール１７，１７を設けている。上側のスライドレール１７は、引戸本体１０の上下方向途中位置に配設された横枠材１３の下側面に固定されるとともにガード体２０の上端面に固定されている。一方、下側のスライドレール１７は、引戸本体１０の下横枠材１４の上側面に固定されるとともにガード体２０の下端面に固定されている。
【００２１】
これらスライドレール１７，１７は、複数のスライド部材を組み合わせた構成とされており、本実施形態では、引戸本体１０の中空部１６から戸先側に向けてガード体２０の略全体を突出させ、また、その状態のガード体２０を支持し得る構造とされている。図例では、スライドレール１７は、引戸本体１０側に固定されるアウターメンバーと、ガード体２０側に固定されるアウターメンバーと、これらアウターメンバーに対してスライド自在に係合するインナーメンバーとを備えた構造とされている。これら各メンバー間には、リテーナ（保持器）やこれに回転自在に保持されるボール等が設けられている。なお、ガード体２０の略全体を突出させ、また、その状態のガード体２０を支持し得るスライドレール１７としては、図例のようなものに限られず、その他のいわゆるオーバートラベル型のスライドレールを採用するようにしてもよい。
【００２２】
ガード体２０は、上記構成とされた上下一対のスライドレール１７，１７によってスライド自在に支持され、引戸本体１０の中空部１６に対して戸幅方向に出し入れ自在とされている。このガード体２０の左右寸法（戸幅寸法）は、引戸本体１０の中空部１６から引き出して突出させた状態で、このガード体２０の戸先側端面が開口部５の戸先側内側面としての戸先側縦枠３１の内側面に当接する寸法とされている。また、このガード体２０の上下寸法は、床８からガード体２０の上端部までの高さ寸法が、５００ｍｍ〜１２００ｍｍ程度となるような寸法としてもよい。また、このガード体２０の寸法に応じた寸法となるように、引戸本体１０の中空部１６を形成するようにしてもよい。
【００２３】
また、本実施形態では、格子状とされた格子状ガード体２０を例示している。
図例では、格子状ガード体２０は、左右一対の縦枠２１，２１と、これら縦枠２１，２１の上下端部間に架設された上下一対の横枠２２，２２と、これら横枠２２，２２間に縦方向に設けられた複数本の縦格子２３とを備えた構成とされている。なお、縦格子２３に代えて、または加えて横格子を設けるようにしてもよい。
【００２４】
上記構成とされた格子状ガード体２０を備えた引戸装置１では、図１に示すように、引戸本体１０を開放位置とした状態で、以下のように開口部５の下側部分（下側開口部）７の開閉がなされる。
図１（ｂ）に示すように、引戸本体１０の中空部１６から略全体を突出させて格子状ガード体２０を突出位置（閉鎖位置）とした状態では、下側開口部７が格子状ガード体２０によって閉鎖される（図２（ａ）も参照）。この状態では、格子状ガード体２０の戸先側端面が戸先側縦枠３１の内側面に当接し、また、開口部５の上側部分（上側開口部）６は開放された状態となる。
【００２５】
一方、図１（ａ）に示すように、引戸本体１０の中空部１６に格子状ガード体２０の略全体を収納させて格子状ガード体２０を収納位置（開放位置）とした状態では、上側開口部６及び下側開口部７の両方が開放され、開口部５の全体が開放される。
つまり、本実施形態に係る引戸装置１を用いた開口部５の開閉構造は、引戸本体１０を開放位置として開放させた開口部５の下側部分７を、格子状ガード体２０によって開閉する構造とされている。
【００２６】
また、本実施形態では、引戸本体１０の開放位置及び格子状ガード体２０の閉鎖位置（突出位置）を保持するロック機構を設けている。
引戸本体１０の開放位置を保持するロック機構は、引戸本体１０の戸尻側端部に設けられたロック部１８と、戸尻側縦枠３４に設けられたロック受部３５とを備えた構造とされている。
格子状ガード体２０の閉鎖位置を保持するロック機構は、格子状ガード体２０の戸先側端部に設けられたロック部２４と、戸先側縦枠３１に設けられたロック受部３２とを備えた構造とされている。
なお、以下では、格子状ガード体２０の閉鎖位置を保持するロック機構について、図２（ｃ）、（ｄ）を参照して説明する。引戸本体１０の開放位置を保持するロック機構については、格子状ガード体２０の閉鎖位置を保持するロック機構を図示左右反転させたような構成で略同様であるため、図２（ｃ）、（ｄ）において括弧内に参照符号を付し、以下では括弧内にその符号等を記載して説明を省略する。
【００２７】
格子状ガード体２０に設けられたロック部２４（１８）は、図示手前側に露出するように設けられた操作部２４ａ（１８ａ）と、この操作部２４ａ（１８ａ）の操作によりロック位置と解除位置とに変位するロック片２４ｂ（１８ｂ）と、を備えている。
操作部２４ａ（１８ａ）は、手指等で操作が可能なものとしてもよく、または乳幼児等による操作がなされ難いように硬貨やマイナスドライバー等の操作具を受け入れる凹溝状のものとしてもよい。
ロック片２４ｂ（１８ｂ）は、鎌状（係止爪状）とされており、操作部２４ａ（１８ａ）をして当該ロック部２４（１８）の回動操作がなされることで、ロック位置と解除位置とに位置付けられる。このロック片２４ｂ（１８ｂ）は、ロック位置では、格子状ガード体２０の戸先側端面（引戸本体１０の戸尻側端面）から突出した状態（図２（ｃ）の状態）となる。一方、このロック片２４ｂ（１８ｂ）は、解除位置では、格子状ガード体２０の戸先側端部（引戸本体１０の戸尻側端部）内に格納された状態（図２（ｄ）の状態）となる。
【００２８】
戸先側縦枠３１（３４）に設けられたロック受部３２（３５）は、格子状ガード体２０の戸先側端面（引戸本体１０の戸尻側端面）に向けて開口し、ロック片２４ｂ（１８ｂ）を受け入れるロック片受入凹所とされている。このロック片受入凹所３２（３５）には、ロック位置とされたロック片２４ｂ（１８ｂ）が係止される被係止部３２ａ（３５ａ）が設けられている。この被係止部３２ａ（３５ａ）としては、図例では、ピン状のものを図示しているが、ロック片受入凹所３２（３５）の開口縁にロックプレート等を設け、その開口縁を被係止部として、該開口縁に係止されるものとしてもよい。
【００２９】
図２（ｃ）に示すように、両ロック機構のロック部２４（１８）をロック位置とした状態では、引戸本体１０の開放位置及び格子状ガード体２０の閉鎖位置の保持がなされる（図１（ｂ）及び図２（ａ）も参照）。つまり、この状態では、格子状ガード体２０の閉鎖位置から開放位置（収納位置）への移動が抑制され、引戸本体１０の開放位置から閉鎖位置への移動が抑制される。
一方、図２（ｄ）に示すように、両ロック機構のロック部２４（１８）を解除位置とすれば、格子状ガード体２０の閉鎖位置から開放位置（収納位置）への移動、及び引戸本体１０の開放位置から閉鎖位置への移動が可能となる。
【００３０】
また、本実施形態では、引戸本体１０の閉鎖位置を保持するロック機構を設けている。このようなロック機構としては適宜、公知のものの採用が可能であり、例えば、引戸本体１０の戸先側端部に上記同様のロック部を設け、その把手１９等に上記同様の操作部を設け、戸先側縦枠３１に、上記同様のロック受部３３を設けた構造としてもよい。
なお、このような引戸本体１０の閉鎖位置を保持するロック機構を設けないようにしてもよい。
また、格子状ガード体２０の開放位置（収納位置）を保持するロック機構を設けるようにしてもよい。これによれば、格子状ガード体２０を使用せずに、引戸本体１０のみを使用して開口部５の開閉を行う際に、格子状ガード体２０が意図せずに中空部１６から突出するようなことを抑制することができる。
【００３１】
また、上記した引戸本体１０を構成する各枠材や面材、格子状ガード体２０を構成する四方枠や縦格子等は、無垢の木材またはその他の木質系材料から形成されたものとしてもよい。木質系材料としては、合板やＬＶＬ（単板積層材）等の木質積層板、パーティクルボード等の木質ボード、またはインシュレーションボードやＭＤＦ（中密度繊維板）等の木質繊維板などを採用するようにしてもよい。
さらには、上記した木質系材料以外のものから形成するようにしてもよい。例えば、合成樹脂系材料に、木粉や無機フィラー、相溶化剤、着色剤などを所定の含有割合で含有させた木粉（木質）・プラスチック複合材（ＷＰＣ）や、その他の合成樹脂系材料、金属系材料等から形成されたものとしてもよい。これらの場合には、上記したように各部材を組み付けて構成する態様に代えて、引戸本体１０及び格子状ガード体２０のそれぞれの全体またはそれぞれの一部を一体的に形成するようにしてもよい。
また、適宜、引戸本体１０や格子状ガード体２０の表面側の露出する部位等に、合成樹脂化粧シートまたは突板等の表面化粧材を貼着したり、塗装したりすることにより表面処理を施したものとしてもよい。
【００３２】
上記構成とされた本実施形態に係る引戸装置１及びこれを用いた開口部５の開閉構造によれば、乳幼児やペット等の通過を抑制したり、通気性を確保したりするために開口部５の一部の閉鎖が可能でありながらも見栄えを向上させることができる。
つまり、引戸本体１０を開放位置として開放させた開口部５の下側部分７を、ガード体２０によって開閉可能としているので、ガード体２０を閉鎖位置とすることで、乳幼児等の通過を抑制したり、通気性を確保したりすることができる。
また、ガード体２０は、引戸本体１０に設けられた中空部１６に出し入れ自在に設けられているため、ガード体２０を使用しない際、つまり、引戸本体１０によって開口部５を開閉する際には、ガード体２０を引戸本体１０の中空部１６内に収納することができる。つまりは、図１（ａ）及び図３（ａ）に示すように、ガード体２０が露出せず、通常の引戸と略同様の外観を呈し、見栄えを阻害することがない。
【００３３】
また、本実施形態では、ガード体２０を格子状ガード体２０としているので、この格子状ガード体２０によって開口部５の下側部分７を閉鎖した状態における通気性をより向上させることができる。また、乳幼児等の通過の抑制が可能でありながらも、乳幼児等の様子が視認し易くなる。また、例えば、パネル状とされたものと比べて比較的に軽量化を図ることができ、当該格子状ガード体２０の開閉時における操作性を向上させることができる。
【００３４】
さらに、本実施形態では、引戸本体１０を開放位置とし、かつ、ガード体２０を閉鎖位置とした状態において、ガード体２０の戸先側端面が、開口部５の戸先側内側面に当接するようにガード体２０を設けている。従って、より効果的に乳幼児やペット等の通過を抑制することができる。なお、このような態様に代えて、引戸本体１０を開放位置とし、かつ、ガード体２０を閉鎖位置とした状態において、ガード体２０の戸先側端面と、開口部５の戸先側内側面との間に隙間が形成される態様としてもよい。この場合は、該隙間を乳幼児やペット等の通過を抑制し得る隙間とすればよい。
【００３５】
さらにまた、本実施形態では、引戸本体１０の開放位置及びガード体２０の閉鎖位置を保持するロック機構１８，３５，２４，３２を設けている。従って、閉鎖位置とされたガード体２０が乳幼児等によって開放されることを抑制することができる。なお、このようなロック機構１８，３５，２４，３２を設けた場合には、ロック受部３５，３２またはこれらを設けた縦枠３１，３４を備えた引戸装置１として把握するようにしてもよい。
【００３６】
次に、本発明に係る他の実施の形態について、図面を参照しながら説明する。
図４は、第２実施形態に係る引戸装置及びこれを用いた開口部の開閉構造について説明するための説明図である。
なお、上記第１実施形態との相違点について主に説明し、同様の構成については、同一符号を付し、その説明を省略または簡略に説明する。
【００３７】
本実施形態に係る引戸装置１Ａは、図４に示すように、ガード体２０Ａ、このガード体２０Ａの出し入れ構造及びロック機構１８Ａ，２８が上記第１実施形態に係る引戸装置１とは主に異なる。
ガード体２０Ａは、格子状ではなく、パネル状ガード体２０Ａとされており、本実施形態では、上下一対の横框２５，２５と、左右一対の縦框２６，２６と、これら四方框内に配設された鏡板２７とを備えた構成とされている。
【００３８】
鏡板２７は、本実施形態では、透明なまたは透光性の材料から形成されている。このような材料としては、強化ガラスやアクリル樹脂等の合成樹脂系材料を採用するようにしてもよい。このようにパネル状ガード体２０Ａに透明なまたは透光性を有した鏡板２７を設けることで、当該鏡板２７越しに乳幼児やペット等の様子を視認乃至は窺うことができる。なお、このような透明なまたは透光性を有した鏡板２７に代えて、不透明なまたは透光性を有しない鏡板としてもよい。また、パネル状ガード体２０Ａとしては、框組のパネル体に限られず、略矩形平板状のパネル体としてもよい。
【００３９】
また、本実施形態では、図４（ｂ）、（ｃ）に示すように、引戸本体１０Ａの中空部１６からのパネル状ガード体２０Ａの出し入れ構造を凹凸嵌合により出し入れをガイドする構造としている。図例では、パネル状ガード体２０Ａの上端部に、上方に向けて突出するガイド凸条２５ａを戸幅方向に沿って設け、下端部に、下方に向けて突出するガイド凸条２５ａを戸幅方向に沿って設けている。また、引戸本体１０Ａの中空部１６の天面を形成する横枠材１３Ａに下方に向けて開口し、パネル状ガード体２０Ａの上端部のガイド凸条２５ａを受け入れてガイドするガイド凹溝１３ａを戸幅方向に沿って設けている。また、引戸本体１０Ａの中空部１６の底面を形成する下横枠材１４Ａに上方に向けて開口し、パネル状ガード体２０Ａの下端部のガイド凸条２５ａを受け入れてガイドするガイド凹溝１４ａを戸幅方向に沿って設けている。
また、本実施形態では、図４（ｂ）に示すように、パネル状ガード体２０Ａを突出位置（閉鎖位置）とした状態で、当該パネル状ガード体２０Ａの全体が中空部１６から突出せず、その戸尻側端部が中空部１６内に位置する構造としている。
【００４０】
ロック機構１８Ａ，２８は、引戸本体１０Ａの戸先側端部に設けられたロック部１８Ａと、パネル状ガード体２０Ａの戸先側端部及び戸尻側端部のそれぞれに設けられたロック受部２８，２８とを備えた構造とされている。
ロック部１８Ａは、操作部と、この操作部の操作により、引戸本体１０Ａの厚さ方向に変位し、厚さ方向内側（中空部１６側）に突出するロック位置と厚さ方向外側に引き込まれた位置とに位置付けられるロックピンと、を備えた召し合わせ錠のような構成としてもよい。このロックピンとしては、ピン状のものとしてもよく、雄ねじ状のものとしてもよい。
ロック受部２８，２８は、上記したロックピンを受け入れる挿入穴としてもよく、または、ロックピンが捩じ込まれる雌ねじ穴としてもよい。
【００４１】
上記構成とされたロック機構１８Ａ，２８では、パネル状ガード体２０Ａの収納位置（開放位置）の保持と、引戸本体１０Ａの開放位置及びパネル状ガード体２０Ａの突出位置（閉鎖位置）の保持と、が以下のようになされる。
図４（ａ）に示すように、パネル状ガード体２０Ａを収納位置とした状態で、ロック部１８Ａをロック位置としてパネル状ガード体２０Ａの戸先側端部のロック受部２８（図４（ｂ）参照）に係止させれば、パネル状ガード体２０Ａの収納位置の保持がなされる。
一方、図４（ｂ）に示すように、引戸本体１０Ａを開放位置とし、パネル状ガード体２０Ａを突出位置とする。この状態で、ロック部１８Ａをロック位置としてパネル状ガード体２０Ａの戸尻側端部のロック受部２８（図４（ａ）参照）に係止させれば、引戸本体１０Ａの開放位置及びパネル状ガード体２０Ａの突出位置の保持がなされる。
【００４２】
このようなロック機構１８Ａ，２８を備えた構造とすることで、開口枠３Ａの戸先側縦枠３１Ａ及び戸尻側縦枠３４Ａに上記第１実施形態のようなロック受部３２，３５を設ける必要がなく、簡易な構造とすることができる。また、パネル状ガード体２０Ａの収納位置を保持するロック機構と、引戸本体１０Ａの開放位置及びパネル状ガード体２０Ａの突出位置を保持するロック機構とを兼ね合わせた構造とでき、両者を個別のロック機構とする態様と比べて、簡易な構造とすることができる。
また、上記構成とされた本実施形態に係る引戸装置１Ａ及びこれを用いた開口部５の開閉構造によっても上記第１実施形態と概ね同様の効果を奏する。
なお、本実施形態において説明した上記第１実施形態とは異なる各構成と、上記第１実施形態において説明した対応する各構成とを適宜、組み替えて、または組み合わせて、適用するようにしてもよい。この場合、各構成を適宜、必要に応じて変形するようにしてもよい。
【００４３】
なお、開口枠３（３Ａ）としては、上記のように上吊式の引戸本体１０（１０Ａ）が建て付けられる下枠を備えない開口枠（三方枠）に限られない。例えば、引戸本体１０（１０Ａ）の下端部に戸車を設けて下荷重式とし、この戸車をガイドするレールを備えた下枠を更に備えた開口枠（四方枠）としてもよい。また、図例のような固定枠に限られず、ケーシング額縁を備えたいわゆるケーシング枠を開口枠として採用するようにしてもよい。さらには、縦枠や中方立を設けずに、上枠のみまたは上枠と下枠とを備えた開口枠としてもよい。この場合は、開口部５の戸先側内側面を壁仕上げ面等によって構成するようにしてもよい。また、この場合において、ロック受部３２，３３，３５を設ける場合には、壁等に埋め込むように設けるようにしてもよい。
【００４４】
また、上記各実施形態に係る引戸装置１（１Ａ）を、建付開口２に配設される開口枠３（３Ａ）と、この開口枠３（３Ａ）にスライド自在に建て付けられる引戸本体１０（１０Ａ）と、この引戸本体１０（１０Ａ）に設けられたガード体２０（２０Ａ）と、を備えた引戸装置１（１Ａ）として把握するようにしてもよい。
さらに、開口部５の天面側を垂れ壁等によって構成するようにしてもよく、または、開口部５を床面から天井面に略至る高さ寸法としてもよい。この場合は、上枠を天井に埋め込むように設けるようにしてもよい。
【００４５】
また、上記した例では、袖壁４を設け、引戸本体１０（１０Ａ）を袖壁納めとした例について説明したが、壁面に沿って納めるいわゆるアウトセット納めとしたり、戸袋空間に納める戸袋納めとしたりしてもよい。
さらに、一枚の引戸本体１０（１０Ａ）によって開口部５を開閉する態様に限られず、複数枚の引戸本体を引き違いや引き分け状に配設し、開口部５を開閉する態様としてもよい。例えば、二枚の引戸本体を引き違い状に設けた場合には、両方または一方の引戸本体１０（１０Ａ）にガード体２０（２０Ａ）を設けた態様としてもよい。また、二枚の引戸本体１０（１０Ａ）を引き分け状に設けた場合には、両方の引戸本体１０（１０Ａ）に互いに向き合う方向に向けて出し入れ自在としたガード体２０（２０Ａ）を設けた態様としてもよい。また、引き分け状に設ける場合には、二枚の引戸本体１０（１０Ａ）のそれぞれに設けられたガード体２０（２０Ａ）の戸先側端面同士を突き合わせる態様としてもよい。この場合は、他方のガード体２０（２０Ａ）の戸先側端面を開口部の戸先側内側面として把握するようにしてもよい。
【００４６】
さらにまた、ガード体２０（２０Ａ）としては、引戸本体１０（１０Ａ）の中空部１６からスライド自在に出し入れされる格子状またはパネル状のものに限られず、引戸本体１０（１０Ａ）の戸幅方向に伸縮するアコーディオン状のものとしてもよい。
また、引戸本体１０（１０Ａ）の開放位置及びガード体２０（２０Ａ）の閉鎖位置を保持するロック機構としては、上記したような鎌錠や召し合わせ錠のようなものに限られない。例えば、引戸本体１０（１０Ａ）及びガード体２０（２０Ａ）のそれぞれにフランス落とし状や丸落とし状のロック部を設けた態様としてもよい。この場合は、適宜、床８等にこれらを受け入れる凹所等のロック受部を設けるようにしてもよい。また、ロック機構の操作部は、通過を抑制したい乳幼児等が存在する側とは異なる側に設けるようにしてもよい。さらには、このような引戸本体１０（１０Ａ）の開放位置及びガード体２０（２０Ａ）の閉鎖位置を保持するロック機構を設けないようにしてもよい。この場合は、上枠に設けられた上吊レール等に、開放位置とされた引戸本体１０（１０Ａ）の閉鎖位置側への移動を抑制する移動抑制部を設けるようにしてもよい。また、引戸本体１０（１０Ａ）の中空部１６内等に、閉鎖位置とされたガード体２０（２０Ａ）の開放位置側への移動を抑制する移動抑制部を設けるようにしてもよい。
【符号の説明】
【００４７】
１，１Ａ      引戸装置
５            開口部
７            下側開口部（開口部の下側部分）
１０，１０Ａ  引戸本体
１６          中空部
２０          格子状ガード体（ガード体）
２０Ａ        パネル状ガード体（ガード体）
１８，２４    ロック部（ロック機構）
３２，３５    ロック受部（ロック機構）
１８Ａ        ロック部（ロック機構）
２８          ロック受部（ロック機構）
【図１】
2013023931.tif 000003
【図２】
2013023931.tif 000004
【図３】
2013023931.tif 000005
【図４】
2013023931.tif 000006